(57)【要約】【課題】筐体の強度と低コスト化、更には省エネ性や静音化にも優れた空気調和機の室外機を実現すること。【解決手段】空気調和機の室外機１は、背面及び両側面に設けた吸込口と上面に設けた吹出し口とを有する筐体２、筐体２の上面部に設置された軸流ファン、吸込口に沿って設置された略コ字状の熱交換器を備える。筐体２の側面の骨格は、側面上部材１０９、側面下部材１００、側面前部材１０１及び側面後部材１０２のそれぞれの端部を結合したロの字状の側面枠部材と、この側面枠部材の対角部を結ぶように設けた補強部材２０１とを備える。筐体２の両側面の各吸込口は後部から前部に至るように各側面の半分以上の大きさの通風面積を有するように形成され、熱交換器５０１の両側部分は筐体２の両側面の各吸込口に沿って前部に至るように各側面の半分以上の大きさの通風面積を有するように形成される。【選択図】図３
2007192453.tif 000002
【特許請求の範囲】
【請求項１】
背面及び両側面に設けた吸込口と上面に設けた吹出し口とを有する筐体と、
室外空気を前記吸込口から吸込んで前記吹出し口から吹出すように前記筐体の上面部に設置された軸流ファンと、
前記筐体内に前記吸込口に沿って設置された略コ字状の熱交換器と、を備えた空気調和機の室外機において、
側面上部材、側面下部材、側面前部材及び側面後部材のそれぞれの端部を結合したロの字状の側面枠部材と、前記側面枠部材の対角部を結ぶように設けた補強部材とを備えて前記筐体の側面の骨格を構成し、
前記筐体の両側面の各吸込口を、後部から前部に至るように各側面の半分以上の大きさの通風面積を有するように形成し、
前記熱交換器の両側部分を、前記筐体の両側面の各吸込口に沿って前部に至るように各側面の半分以上の大きさの通風面積を有するように形成したこと、
を特徴とする空気調和機の室外機。
【請求項２】
請求項１に記載の空気調和機の室外機において、板材を折り曲げたフレームで前記側面上部材及び前記側面後部材を構成し、圧縮機を搭載した底板で前記側面下部材を構成し、板金カバーで前記側面前部材を構成し、直線状の斜めステーで前記補強部材を構成したこと、を特徴とする空気調和機の室外機。
【請求項３】
請求項１に記載の空気調和機の室外機において、前記筐体は両側面の前記吸込口に多数交差するワイヤーで構成した保護網を備えており、前記側面枠部材の対角部を前記保護網のワイヤーで結合して前記補強部材とし、この補強部材としたワイヤーを他のワイヤーよりも太径にしたこと、を特徴とする空気調和機の室外機。
【請求項４】
請求項３に記載の空気調和機の室外機において、前記側面枠部材の２つの対角部をＸ状に交差する２つの太径の前記ワイヤーでそれぞれ結合して前記補強部材としたこと、を特徴とする空気調和機の室外機。
【請求項５】
請求項３に記載の空気調和機の室外機において、前記保護網をワイヤーを斜めに多数交差するワイヤーで構成し、この斜めに設けられたワイヤーで前記側面枠部材の対角部を結合して前記補強部材とし、この補強部材としたワイヤーを他のワイヤーよりも太径にしたこと、を特徴とする空気調和機の室外機。
【請求項６】
請求項１記載の空気調和機の室外機において、前記筐体は両側面の前記吸込口に多数交差するワイヤーで構成した保護網を備えており、前記保護網と前記補強部材とを予め一体構造としたこと、を特徴とする空気調和機の室外機。
【発明の詳細な説明】
【技術分野】
【０００１】
本発明は、空気調和機の室外機に係り、特に室外空気を背面及び側面の吸込口から吸込んで上面の吹出し口から吹出す上吹きタイプのビル用空気調和機の室外機に好適なものである。
【背景技術】
【０００２】
近年、空気調和機における消費電力の低減が強く望まれている。消費電力の低減を図る有効な手段として、熱交換器の伝熱面積の増加が挙げられる。熱交換器の伝熱面積を増加させるためには、熱交換器の列数を増やすことや、長さ寸法及び高さ寸法を大きくすること等が考えられる。しかし、前者の場合には、通風抵抗が増加し、送風機の騒音及び消費電力の増加を招いてしまうという問題があった。後者の場合には、通風抵抗が減少し、送風機の騒音及び消費電力も低減を図ることができるが、反面、製品寸法が大きくなってしまうという問題があった。
【０００３】
ところで、ビル用マルチパッケージエアコンにおいては、ビルの屋上等に多台数の連続設置形態となるケースが多く、家庭用ルームエアコンや店舗用パッケージエアコンで多く見られるような横吹きタイプの室外機を用いると、隣接する機体の吹出し風を吸込んでしまい、能力低下を招く。このため、ビル用空気調和機の室外機は上吹きタイプの形態を採用することが多い。
【０００４】
このような形態のビル用空気調和機の室外機においては、製品底面の大きさ、すなわち据付面積のコンパクト化が重要視される。そこで、据付面積をできる限り小さくした上で、十分な熱交換器の面積を確保するために、必然的に熱交換器の高さ方向もしくは展開長で補うことになる。しかし、高さ方向で伝熱面積を確保しようとした場合、据付面積の増加を防ぐことができるが、反面、製品高さが犠牲になる。製品高さよりも据付面積の方が重要視される傾向ではあるものの、一方では現地形態によっては製品上部に防雪フードや風向ガイドを設けることもあるし、製品の搬入・運搬・保管や、強度低下等を考えると、製品高さを高くするにも限界がある。
【０００５】
製品高さと据付面積の双方を抑えつつ、熱交換器の伝熱面積を確保するためには、限られた据付面積内で、可能な限り熱交換器の展開長を確保するのが望ましい。そこで、筐体の背面及び両側面の後部に吸込口を設けると共に上面に吹出し口を設け、筐体の背面及び両側面の吸込口に沿って熱交換器を略コ字状に形成して配置することが行われている。これに伴い、筐体全面に対する熱交換器の吸込み面の占める割合が増加し、筐体の板金カバー面の面積が減少する傾向にある。
【０００６】
その結果として、筐体の形態は、板金カバー面で大きく覆われていた構造から、筐体の骨格をフレームを結合して構成するフレーム構造へと変化しつつある。なお、空気調和機の筐体をフレーム結合構造で構成するものとしては、例えば特開２００３−２２２３５８号公報（特許文献１）に開示された技術を挙げることができる。
【０００７】
【特許文献１】特開２００３−２２２３５８号公報
【発明の開示】
【発明が解決しようとする課題】
【０００８】
フレーム構造は、個々のフレーム自体の強度は板金カバー自体の強度に比べ優れているが、反面、構造全体の横荷重に対して、板金カバーのような面内剛性が期待できないため、非常に弱いという欠点がある。ビル用マルチパッケージエアコンで多く見られるような上吹きタイプの室外機では、製品高さが高く、フレーム長さが長くなるため、前述のような横荷重に対し極端に強度が低下してしまう。このため、筐体の両側面の吸込口の面積をさらに拡大して熱交換器の展開長を拡大することが困難となっていた。
【０００９】
本発明の目的は、筐体の強度と低コスト化、更には省エネ性や静音化にも優れた空気調和機の室外機を提供することにある。
【課題を解決するための手段】
【００１０】
前述の目的を達成するために、本発明は、背面及び両側面に設けた吸込口と上面に設けた吹出し口とを有する筐体と、室外空気を前記吸込口から吸込んで前記吹出し口から吹出すように前記筐体の上面部に設置された軸流ファンと、前記筐体内に前記吸込口に沿って設置された略コ字状の熱交換器と、を備えた空気調和機の室外機において、側面上部材、側面下部材、側面前部材及び側面後部材のそれぞれの端部を結合したロの字状の側面枠部材と、前記側面枠部材の対角部を結ぶように設けた補強部材とを備えて前記筐体の側面の骨格を構成し、前記筐体の両側面の各吸込口を、後部から前部に至るように各側面の半分以上の大きさの通風面積を有するように形成し、前記熱交換器の両側部分を、前記筐体の両側面の各吸込口に沿って前部に至るように各側面の半分以上の大きさの通風面積を有するように形成したことにある。
【００１１】
係る本発明のより好ましい具体的な構成例は次の通りである。
（１）板材を折り曲げたフレームで前記側面上部材及び前記側面後部材を構成し、圧縮機を搭載した底板で前記側面下部材を構成し、板金カバーで前記側面前部材を構成し、直線状の斜めステーで前記補強部材を構成したこと。
（２）前記筐体は両側面の前記吸込口に多数交差するワイヤーで構成した保護網を備えており、前記側面枠部材の対角部を前記保護網のワイヤーで結合して前記補強部材とし、この補強部材としたワイヤーを他のワイヤーよりも太径にしたこと。
（３）前記（２）において、前記側面枠部材の２つの対角部をＸ状に交差する２つの太径の前記ワイヤーでそれぞれ結合して前記補強部材としたこと。
（４）前記（２）において、前記保護網をワイヤーを斜めに多数交差するワイヤーで構成し、この斜めに設けられたワイヤーで前記側面枠部材の対角部を結合して前記補強部材とし、この補強部材としたワイヤーを他のワイヤーよりも太径にしたこと。
（５）前記筐体は両側面の前記吸込口に多数交差するワイヤーで構成した保護網を備えており、前記保護網と前記補強部材とを予め一体構造としたこと。
【発明の効果】
【００１２】
本発明によれば、筐体の強度と低コスト化、更には省エネ性や静音化にも優れた空気調和機の室外機を実現できる。
【発明を実施するための最良の形態】
【００１３】
以下、本発明の複数の実施形態について図を用いて説明する。各実施形態の図における同一符号は同一物または相当物を示す。なお、本発明は、それぞれの実施形態を必要に応じて適宜に組み合わせることにより、さらに効果的なものとすることを含むものである。
（第１実施形態）
本発明の第１実施形態の空気調和機の室外機を図１から図６を用いて説明する。
【００１４】
まず、本実施形態の空気調和機の室外機の全体に関して図１から図３を参照しながら説明する。図１は本発明の第１実施形態の空気調和機の室外機１の縦断面概略図、図２は図１の室外機１の横断面概略図、図３は図１の室外機１の骨格を説明する斜視図である。
【００１５】
空気調和機の室外機１は、筐体２、軸流ファン５０２、ファンモータ５０３、熱交換器５０１、圧縮機５００、電気箱５０７及びその他機器５０９等を備えて構成されている。
【００１６】
筐体２は、縦長に構成され、両側面に設けた吸込口５０４及び背面に設けた吸込口５０５と上面に設けた吹出し口５０８とを有している。そして、本実施形態では、筐体２の両側面の各吸込口５０４は、後部から前部に至るように従来例より拡大して形成され、各側面の面積の半分以上の大きさの通風面積を有するように形成されている。この筐体２は、骨格２００と、骨格２００の正面に着脱可能に配置された正面カバー１０３と、骨格２００の上面に配置されたダクト１０８と、吸込口５０４、５０５をカバーするように設置された保護網１０７とから構成されている。
【００１７】
筐体２の骨格２００は、側面上フレーム１０９、底板１００、側面前カバー１０１、側面後フレーム１０２、正面上フレーム１１０、背面上フレーム１１１、側面斜めステー２０１、背面斜めステー２０６のそれぞれの端部をネジやボルトなどの締結具を用いて結合して構成されている。筐体２の骨格２００を構成するフレーム部材は、断面Ｌ字状または断面コ字状の金属板で構成される。筐体２の骨格２００を構成するステー部材は金属板で構成される。
【００１８】
ここで、側面上フレーム１０９は、筐体２の骨格２００の側面上部材を構成するものであり、筐体２の両側面と上面との稜線部を形成するように前後に水平に延びている。底板１００は筐体２の底面部を形成している。この底板１００の両側部分は筐体２の骨格２００の側面下部材を構成し、その前後部分は筐体２の骨格２００の正面下部材及び背面下部材を構成している。側面前カバー１０１は、筐体２の骨格２００の側面前部材を構成しており、板金カバーで形成されている。この側面前カバー１０１は、筐体２の側面と正面との稜線部を構成すると共に、筐体２の側面における吸込口５０４を除く面、すなわち、筐体２の側面における前側の面を構成している。側面前カバー１０１の上下端部は側面上フレーム１０９及び底板１００の側端部に結合されている。側面後フレーム１０２は、筐体２の骨格２００の側面後部材を構成するものであり、筐体２の側面と背面との稜線部を形成するように上下に垂直に延びている。側面後フレーム１０２の上端部は側面上フレーム１０９及び背面上フレーム１１１の端部と結合され、側面後フレーム１０２の下端部は底板１００の角部と結合されている。正面上フレーム１１０は、筐体２の骨格２００の正面上部材を構成するものであり、筐体２の正面と上面との稜線部を形成するように左右に水平に延びている。背面上フレーム１１１は、筐体２の骨格２００の背面上部材を構成するものであり、筐体２の背面と上面との稜線部を形成するように左右に水平に延びている。
【００１９】
筐体２の側面において、側面上フレーム１０９、底板１００、側面前カバー１０１及び側面後フレーム１０２はそれぞれの端部を結合してロの字状の側面枠部材を構成しており、側面斜めステー２０１はこの側面枠部材の対角部を結ぶように設けられている。
【００２０】
筐体２の背面において、背面上フレーム１１１、底板１００、２つの側面後フレーム１０２はそれぞれの端部を結合してロの字状の背面枠部材を構成しており、背面斜めステー２０６はこの背面枠部材の対角部を結ぶように設けられている。背面斜めステー２０６は異なる対角部を結ぶようにＸ字状に２つ設けられている。
【００２１】
筐体２の正面において、正面上フレーム１１０、底板１００、２つの側面前カバー１０１はそれぞれの端部を結合してロの字状の正面枠部材を構成しており、正面カバー１０３は正面枠部材を構成する各部材間を結合するように設けられている。
【００２２】
正面カバー１０３は正面形状と同じ四角形に形成されている。正面カバー１０３の各辺は、ネジ、ボルトなどの締結具を介して正面上フレーム１１０、底板１００、側面前カバー１０１、側面後フレーム１０２に着脱可能に固定されている。
【００２３】
ダクト１０８は、骨格２００の上端部を構成する部分、すなわち、側面上フレーム１０９、側面後フレーム１０２、正面上フレーム１１０及び背面上フレーム１１１に固定されている。
【００２４】
保護網１０７は、熱交換器５０１のフィンによる切傷等を防止するなどの安全性を確保するために設けられ、ワイヤー１０７ａを格子状に接合して構成されている。ワイヤー１０７ａは等間隔に配列されている。
【００２５】
軸流ファン５０２及びこれを駆動するファンモータ５０３は、筐体２の上面部を構成するダクト１０８内に配置され、空気の流れ９００で示すように、室外空気を筐体２の両側面の吸込口５０４から吸込んで筐体２の上面の吹出し口５０８から吹出すように設置されている。すなわち、本実施形態の室外機１は、室外空気を側面及び背面の吸込口５０４、５０５から吸込んで上面の吹出し口５０８から吹出す上吹きタイプのビル用空気調和機の室外機である。
【００２６】
熱交換器５０１は、筐体２内の軸流ファン５０２の吸込み側に配置されており、平面からみて略コ字状に形成され、筐体２の背面及び両側面の吸込口５０５、５０４に沿って延びるように設置されている。そして、本実施形態では、熱交換器５０１の両側部分を、筐体２の両側面の各吸込口５０４に沿って前部に至るように従来例より拡大して、各側面の半分以上の大きさの通風面積を有するように形成している。なお、熱交換器５０１は多数並置されたプレート状のフィンとこれらのフィンを貫通する熱交換パイプとから構成されている。
【００２７】
室外機１を上から見ると、筐体２の背面の殆どを占める背面吸込口５０５と筐体２の側面の後部から前部に至る大きな側面吸込口５０４とにわたって熱交換器５０１が配置され、正面側を除く側面及び背面の大半が熱交換器５０１の吸込み面に割り当てられている。換言すると、正面側は、圧縮機５００や電気箱５０７などへのサービス性の観点から、熱交換器５０１を配置せず、脱着可能な正面カバー１０３を用いるようにしている。
【００２８】
熱交換器５０１及び圧縮機５００などの冷凍サイクル部品及びその他機器５０９は、筐体２の底板１００に搭載されている。このため、底板１００は、これらの機器の荷重を支持できるように、強度の大きな厚い板材で構成されている。電気品等を収納する電気箱５０７は正面カバー１０３の内側に設置されている。
【００２９】
本実施形態によれば、筐体２が縦長であるので、横長の筐体に比較して、据付面積が小さく、据付性が良好である。
【００３０】
また、室外空気を背面及び側面の吸込口５０４から吸込んで上面の吹出し口５０８から吹出す上吹きタイプの室外機１としているので、複数の室外機１を隣接して設置しても、隣接する室外機１から吹出し風を吸込むことによる性能低下を防止することができる。
【００３１】
さらには、筐体２の両側面及び背面に吸込口５０４、５０５を設け、筐体２の両側面の各吸込口５０４を後部から前部に至るように拡大して各側面の半分以上の大きさの通風面積を有するように形成し、熱交換器５０１の両側部分を筐体の両側面の各吸込口５０４に沿って前部に至るように拡大して各側面の半分以上の大きさの通風面積を有するように形成しているので、吸込口５０４、５０５及び熱交換器５０１の通風抵抗を低減できると共に、限られた据付面積内で可能な限りの熱交換器５０１の伝熱面積が増大できる。これによって、製品高さを所定の高さに維持しつつ、低騒音で消費電力の低減を図ることできる。
【００３２】
さらには、筐体２の側面の骨格を複数の部材で構成したロの字状の側面枠部材で構成されたラーメン構造とし、筐体２の背面の骨格２００を複数の部材で構成したロの字状の背面枠部材で構成されたラーメン構造としているので、筐体２の外形寸法を小さく抑えつつ、側面吸込口５０４及び背面吸込口５０５の通風面積を大きくすることができる、
このように筐体２の側面の骨格２００をラーメン構造にしたことに伴い、筐体全体が平行四辺形状に変形しやすく、横荷重に対し弱くなる、という問題が発生する。本実施形態では、これを補うべく、側面枠部材の対角部を結ぶように側面斜めステー２０１を設けると共に、背面枠部材の対角部を結ぶようにＸ字状に背面斜めステー２０６を設けている。
【００３３】
係る側面斜めステー２０１の機能について、室外機の筐体の各種形態を示す図４及び図５を参照しながら説明する。図４は室外機の筐体の各種形態を示す模式図、図５は図４における板金折り曲げ構造及び壁式構造における板金カバー１０４の拡大詳細図である。なお、背面斜めステー２０６の機能は、側面斜めステー２０１に関して説明することと同様であるので、重複する説明を省略する。
【００３４】
まず、室外機の筐体の形態として、図４（ａ）に示すような比較的大きな板金カバー１０４の面内剛性により横荷重を支持する板金折り曲げ構造３００が考えられる。なお、この板金カバー１０４は、例えば図５に示すような通風穴１０６が形成されていることが必要である。しかし、かかる板金折り曲げ構造３００は、横荷重に対する強度は比較的高いが、単品強度が弱いため振動や変形などが問題になりやすいし、板金の素材寸法としては通風穴１０６の有無にかかわらず全面必要なため、材料費や金型制作費が高くなるという欠点がある。
【００３５】
また、室外機の筐体の形態として、熱交換器５０１の伝熱面積確保のために、図４（ｂ）に示すようなフレーム部材２０７によるラーメン構造３０１とすることが考えられる。しかし、フレーム部材２０７だけで組んだラーメン構造３０１は、横荷重によって全体が図４（ｂ）の点線に示すような平行四辺形となる変形に対し弱いという欠点がある。
【００３６】
また、室外機の筐体の形態として、図４（ｃ）に示すようなフレーム部材２０７によるラーメン構造に板金カバー１０４を組み合わせた壁式構造３０２とすることが考えられる。なお、この板金カバー１０４は、例えば図５に示すような通風穴１０６が形成されていることが必要である。しかし、この壁式構造３０２は、板金折り曲げ構造３００及びラーメン構造のそれぞれ単独よりも強度的に優れてはいるが、未だ十分な強度を有しているとは言えず、板金の素材寸法としては通風穴１０６の有無にかかわらず全面必要なため、材料費や金型制作費が高くなるという欠点がある。
【００３７】
そこで、本実施形態では、フレーム部材２０７によるラーメン構造に斜めステー２０１を組み合わせた図４（ｄ）に示すようなブレース構造３０３としたのである。このブレース構造３０３によれば、横荷重にも強いと共に、材料費や金型制作費を易くすることができる。
【００３８】
そして、本実施形態では、図３に示すように、筐体２の骨格２００の側面前部材として側面前カバー１０１を用いているので、筐体２の側面がブレース構造３０３と壁式構造３０２との組み合わせとなり、材料費の上昇を抑えつつ、より一層の強度向上を図ることができる。さらには、筐体２の背面にも斜めステー２０６をＸ字状に設けてブレース構造３０３を採用しているので、側面のブレース構造３０３と相乗してあらゆる方向からの強度に強く、軽量性をも兼ね備える空気調和機の室外機を実現できる。しかも、筐体２の正面に正面カバー１０３を設置しているので、筐体２の正面が壁式構造３０２となり、より一層の強度向上を図ることができる。
【００３９】
上述した筐体の各種形態における横荷重に対する強度及び重量について、図６を参照しながら説明する。図６は図４における筐体の各種形態における横荷重に対する強度及び重量を対比して示す図である。
【００４０】
図６から明らかように、本実施形態の構造３０４は、従来の板金折り曲げ構造３００に比較して、横荷重に対する強度を２倍以上に向上しつつ、重量を３割程度低減できる。従って、本実施形態の構造３０４とすることで、熱交換器５０１の伝熱面積を拡大しつつ高剛性化と低コスト化を実現できるので、強度、振動、更には省エネ性とコンパクト化、低コスト化に優れた空気調和機の室外機を提供できる。
（第２実施形態）
次に、本発明の第２実施形態の空気調和機の室外機１について図７及び図８を用いて説明する。図７は本発明の第２実施形態の空気調和機の室外機１の骨格を説明する斜視図、図８はこの第２実施形態の室外機における保護網１０７の格子パターンの種類を説明する図である。図７（ａ）は室外機１の骨格の全体斜視図、図７（ｂ）はその保護網の一部を拡大して示す図である。この第２実施形態は、次に述べる点で第１実施形態と相違するものであり、その他の点については第１実施形態と基本的には同一であるので、重複する説明を省略する。
【００４１】
この第２実施形態では、熱交換器５０１の外周に対向する吸込面、すなわち、筐体側面及び背面の吸込口５０４、５０５には、熱交換器５０１のフィンによる切傷等を防止するための保護網１０７と斜めステー２０１、２０６とが溶接などにより一体となって構成されている。保護網１０７と斜めステー２０１、２０６とを一体の部品とすることで、組立工数や部品点数の低減も図れると共に、保護網１０７の一部であることから、外観上、従来のデザインとの親和性も確保できる。このような構成においても、第１実施形態と同様の効果を実現できる。
【００４２】
なお、保護網１０７の格子パターンは、図８（ａ）に示すように直行パターン２０２でもよいし、図８（ｂ）に示すように斜めステー２０１に沿ったストライプパターン２０３でもよいし、更には図８（ｃ）に示すようにチェックパターン２０４でもよい。
（第３実施形態）
次に、本発明の第３実施形態の空気調和機の室外機１について図９を用いて説明する。図９は本発明の第３実施形態の空気調和機の室外機１の保護網１０７を説明する図である。この第３実施形態は、次に述べる点で第２実施形態と相違するものであり、その他の点については第２実施形態と基本的には同一であるので、重複する説明を省略する。
【００４３】
この第３実施形態は、図９に示すように、保護網１０７の斜めに交差するストライプパターンのワイヤー１０７ａの中の特定のワイヤー２０５で、側面枠部材の対角部を結合して補強部材とし、このワイヤー２０５を他のワイヤー１０７ａよりも太径にしたものである。
【００４４】
この第３実施形態によれば、補強部材である太径ワのイヤー２０５が保護網１０７のワイヤー１０７ａと同様のワイヤー形態であるため、外観上の違和感がなく、強度の増大を図ることができる。特に、斜めに交差するストライプパターンのワイヤー１０７ａの中の特定のワイヤー２０５を太径として補強部材とすることにより、外観上の違和感を殆どなくすことができる。なお、背面枠部材の対角部を同様の構造で結合することにより、同様の効果が得られる。
（第４実施形態）
次に、本発明の第４実施形態の空気調和機の室外機１について図１０及び図１１を用いて説明する。図１０は本発明の第４実施形態の空気調和機の室外機１の保護網１０７を説明する図、図１１は従来例の斜めステー無し、第１実施形態の斜めステー２０１付き、第４実施形態のワイヤー構造における横荷重に対する強度を比較して示す図である。この第４実施形態は、次に述べる点で第３実施形態と相違するものであり、その他の点については第３実施形態と基本的には同一であるので、重複する説明を省略する。
【００４５】
この第４実施形態は、図１０に示すように、保護網１０７の斜めに交差するストライプパターンのワイヤー１０７ａの中のＸ字状の特定の２つワイヤー２０５で、側面枠部材の２つの対角部を結合して補強部材とし、このＸ字状のワイヤー２０５を他のワイヤー１０７ａよりも太径にしたものである。
【００４６】
第１実施形態のように斜めステー２０１を用いた構造では、引張り方向及び圧縮方向の何れの剛性も高いため、１つの斜めステー２０１を用いるだけでも、斜めステー無しと比較して図１１に示すような高い横荷重に対する強度が得られる。しかし、第３実施形態のようにワイヤー２０５を用いた構造では、引張方向の剛性は非常に強いが、圧縮方向の強度は低いという課題がある。
【００４７】
そこで、この第４実施形態では、２本の太径ワイヤー２０５をＸ状にクロスさせて配置しているので、どの方向からの横荷重に対しても、必ず一方のワイヤーが引っ張り方向となり、安定した強度を確保できる。この太径ワイヤー２０５は、それ程太くなくてもよく、例えばφ４程度のワイヤーでも十分な強度が得られる。
【００４８】
なお、第３及び第４実施形態における保護網１０７の格子パターンは、直行パターン２０２でも、チェックパターン２０４でもよい。
（第５実施形態）
次に、本発明の第５実施形態の空気調和機の室外機１について図１２を用いて説明する。図１２は本発明の第５実施形態の空気調和機の室外機１の筐体２の骨格を説明する斜視図である。この第５実施形態は、次に述べる点で第１実施形態と相違するものであり、その他の点については第１実施形態と基本的には同一であるので、重複する説明を省略する。
【００４９】
この第５実施形態では、保護網１０７と側面斜めステー２０１とが一体であると同時に、側面後フレーム１０２とも一体とした構造である。この一体構造は、ネジやボルトなどの締結具を用いて、筐体２の骨格を構成する他の部材に固定されるが、予め一体構造とすることで、組立工数や組立部品点数の低減が図れる。一体構造とする際に、溶接機を用いて容易に溶接することが可能となり、溶接構造とすることによって側面後フレーム１０２との結合強度が増すため、筐体全体の横荷重に対する強度が向上する。
【００５０】
また、この第５実施形態では、側面斜めステー２０１をＸ字状に設置しているので、この点から強度の増大を図ることができる。
【００５１】
なお、保護網１０７と側面斜めステー２０１と側面前カバー１０１と側面後フレーム１０２とを一体構造としてもよく、この場合には、さらに組立工数や組立部品点数の低減が図れる。また、保護網１０７と両側の側面後フレーム１０２と背面上フレーム１１１と背面斜めステー２０６とを一体構造としてもよく、この場合にも、組立工数や組立部品点数の低減が図れる。さらには、第４実施形態に第５実施形態で述べた一体構造を適用すれば、それぞれの効果を合わせ奏することができる。
【図面の簡単な説明】
【００５２】
【図１】本発明の第１実施形態の空気調和機の室外機の縦断面概略図である。
【図２】図１の室外機の横断面概略図である。
【図３】図１の室外機の骨格を説明する斜視図である。
【図４】室外機の筐体の各種形態を示す模式図である。
【図５】図４における板金折り曲げ構造及び壁式構造における板金カバーの拡大詳細図である。
【図６】図４における筐体の各種形態における横荷重に対する強度及び重量を対比して示す図である。
【図７】本発明の第２実施形態の空気調和機の室外機の骨格を説明する斜視図である。
【図８】同第２実施形態の室外機における保護網の格子パターンの種類を説明する図である。
【図９】本発明の第３実施形態の空気調和機の室外機の保護網を説明する図である。
【図１０】本発明の第４実施形態の空気調和機の室外機の保護網を説明する図である。
【図１１】従来例の斜めステー無し、第１実施形態の斜めステー付き、第４実施形態のワイヤー構造における横荷重に対する強度を比較して示す図である。
【図１２】本発明の第５実施形態の空気調和機の室外機の筐体の骨格を説明する斜視図である。
【符号の説明】
【００５３】
１…室外機、２…筐体、１００…底板、１０１…側面前カバー、１０２…側面後フレーム、１０３…正面カバー、１０４…板金カバー、１０６…通風穴、１０７…保護網、１０８…ダクト、１０９…側面上フレーム、１１０…正面上フレーム、１１１…背面上フレーム、２００…フレーム、２０１…側面斜めステー、２０２…直行パターン、２０３…ストライプパターン、２０４…チェックパターン、２０５…太径ワイヤー、２０６…背面斜めステー、３００…板金折り曲げ構造、３０１…ラーメン構造、３０２…壁式構造、３０３…ブレース構造、３０４…壁式＋ブレース構造、５００…圧縮機等の冷凍サイクル部品、５０１…熱交換器、５０２…軸流ファン、５０３…ファンモータ、５０４…吸込口、５０７…電気箱、５０８…吹出し口、９００…空気の流れ。
【図１】
2007192453.tif 000003
【図２】
2007192453.tif 000004
【図３】
2007192453.tif 000005
【図４】
2007192453.tif 000006
【図５】
2007192453.tif 000007
【図６】
2007192453.tif 000008
【図７】
2007192453.tif 000009
【図８】
2007192453.tif 000010
【図９】
2007192453.tif 000011
【図１０】
2007192453.tif 000012
【図１１】
2007192453.tif 000013
【図１２】
2007192453.tif 000014